(57)【特許請求の範囲】
【請求項１】
一組の記録媒体群を構成する各々の記録媒体の色を示す第１の色情報を、当該記録媒体群における各記録媒体の順序に応じて配列した第１の色配列を特定する特定手段と、
特定された前記第１の色配列において配列されている前記第１の色情報が表す色に応じて決められた色を表す第２の色情報を配列した第２の色配列を取得する取得手段と、
取得された前記第２の色配列に含まれる第２の色情報が表す色の画像を、前記第１の色配列において、当該第２の色情報の配列順と同じ順序の記録媒体に形成することを、画像を形成する画像形成手段に指示する指示手段と
を具備し、
前記特定手段は、前記一組の記録媒体群を構成する複数の記録媒体の色を順次読み取る第１の読取手段から当該記録媒体の色を示す第１の色情報を順次受け取って、当該第１の色情報により示される第１の記録媒体の色が、当該第１の読取手段から既に受け取っている第１の色情報により示される第２の記録媒体の色と同一または類似である場合には、当該第２の記録媒体から当該第１の記録媒体の直前に読み取られた記録媒体までの各色を示す第１の色情報を、当該第１の記録媒体以降の記録媒体の各色に順に割り当てることにより、前記第１の色配列を特定することを特徴とする指示装置。
【請求項２】
一組の記録媒体群を構成する各々の記録媒体の色を示す第１の色情報を、当該記録媒体群における各記録媒体の順序に応じて配列した第１の色配列を特定する特定手段と、
特定された前記第１の色配列において配列されている前記第１の色情報が表す色に応じて決められた色を表す第２の色情報を配列した第２の色配列を取得する取得手段と、
取得された前記第２の色配列に含まれる第２の色情報が表す色の画像を、前記第１の色配列において、当該第２の色情報の配列順と同じ順序の記録媒体に形成することを、画像を形成する画像形成手段に指示する指示手段と
を具備し、
前記指示手段は、
前記画像形成手段に供給される記録媒体の色を読み取る第２の読取手段から、当該記録媒体の色を表す第３の色情報を受け取り、
受け取った当該第３の色情報が表す色と同一または類似である色が、特定された前記第１の色配列において先頭に配列されている場合には、取得された前記第２の色配列に含まれる第２の色情報が表す色の画像を、前記第１の色配列において、当該第２の色情報の配列順と同じ順序の記録媒体に形成することを前記画像形成手段に指示し、
前記受け取った第３の色情報が表す色と同一または類似である色が、特定された前記第１の色配列において末尾に配列されている場合には、取得された前記第２の色配列に含まれる第２の色情報が表す色の画像を、前記第１の色配列において、当該第２の色情報の配列順を逆にした順序の記録媒体に形成することを前記画像形成手段に指示することを特徴とする指示装置。
【請求項３】
請求項１または２に記載の指示装置と、
一組の記録媒体群を構成する複数の記録媒体を順次読み取って、当該記録媒体の色を示す第１の色情報を順次、前記指示装置へ出力する第１の読取手段と、
前記指示装置の指示に応じて、前記記録媒体に画像を形成する画像形成手段と
を具備することを特徴とする画像形成装置。
【請求項４】
コンピュータを、
一組の記録媒体群を構成する各々の記録媒体の色を示す第１の色情報を、当該記録媒体群における各記録媒体の順序に応じて配列した第１の色配列を特定する特定手段と、
特定された前記第１の色配列において配列されている前記第１の色情報が表す色に応じて決められた色を表す第２の色情報を配列した第２の色配列を取得する取得手段と、
取得された前記第２の色配列に含まれる第２の色情報が表す色の画像を、前記第１の色配列において、当該第２の色情報の配列順と同じ順序の記録媒体に形成することを、画像を形成する画像形成手段に指示する指示手段と
して機能させるとともに、
前記特定手段が、前記一組の記録媒体群を構成する複数の記録媒体の色を順次読み取る第１の読取手段から当該記録媒体の色を示す第１の色情報を順次受け取って、当該第１の色情報により示される第１の記録媒体の色が、当該第１の読取手段から既に受け取っている第１の色情報により示される第２の記録媒体の色と同一または類似である場合には、当該第２の記録媒体から当該第１の記録媒体の直前に読み取られた記録媒体までの各色を示す第１の色情報を、当該第１の記録媒体以降の記録媒体の各色に順に割り当てることにより、前記第１の色配列を特定するように前記コンピュータを機能させるためのプログラム。
【請求項５】
コンピュータを、
一組の記録媒体群を構成する各々の記録媒体の色を示す第１の色情報を、当該記録媒体群における各記録媒体の順序に応じて配列した第１の色配列を特定する特定手段と、
特定された前記第１の色配列において配列されている前記第１の色情報が表す色に応じて決められた色を表す第２の色情報を配列した第２の色配列を取得する取得手段と、
取得された前記第２の色配列に含まれる第２の色情報が表す色の画像を、前記第１の色配列において、当該第２の色情報の配列順と同じ順序の記録媒体に形成することを、画像を形成する画像形成手段に指示する指示手段と
して機能させるとともに、
前記指示手段が、前記画像形成手段に供給される記録媒体の色を読み取る第２の読取手段から、当該記録媒体の色を表す第３の色情報を受け取り、受け取った当該第３の色情報が表す色と同一または類似である色が、特定された前記第１の色配列において先頭に配列されている場合には、取得された前記第２の色配列に含まれる第２の色情報が表す色の画像を、前記第１の色配列において、当該第２の色情報の配列順と同じ順序の記録媒体に形成することを前記画像形成手段に指示し、前記受け取った第３の色情報が表す色と同一または類似である色が、特定された前記第１の色配列において末尾に配列されている場合には、取得された前記第２の色配列に含まれる第２の色情報が表す色の画像を、前記第１の色配列において、当該第２の色情報の配列順を逆にした順序の記録媒体に形成することを前記画像形成手段に指示するように前記コンピュータを機能させるためのプログラム。
【発明の詳細な説明】
【技術分野】
【０００１】
本発明は、指示装置、画像形成装置およびプログラムに関する。
【背景技術】
【０００２】
用紙にその用紙の色と同系色の色の画像を形成したとしても画像を見づらいため、画像の色合いを、その画像が形成される用紙の色に依存して決めなければならない場合がある。例えば、特許文献１には、給紙カセットに光沢紙が入っているか否かを判断して、その判断結果に応じて給紙カセットから給紙される記録紙に画像を形成させる技術が開示されている。
【先行技術文献】
【特許文献】
【０００３】
【特許文献１】特開２００４−３７５２５号公報
【発明の概要】
【発明が解決しようとする課題】
【０００４】
本発明の目的は、それぞれ異なる色の記録媒体を含む一組の記録媒体群に対し、各記録媒体に応じた色の画像を形成することにある。
【課題を解決するための手段】
【０００５】
上述した課題を解決するため、本願の請求項１に係る指示装置は、一組の記録媒体群を構成する各々の記録媒体の色を示す第１の色情報を、当該記録媒体群における各記録媒体の順序に応じて配列した第１の色配列を特定する特定手段と、特定された前記第１の色配列において配列されている前記第１の色情報が表す色に応じて決められた色を表す第２の色情報を配列した第２の色配列を取得する取得手段と、取得された前記第２の色配列に含まれる第２の色情報が表す色の画像を、前記第１の色配列において、当該第２の色情報の配列順と同じ順序の記録媒体に形成することを、画像を形成する画像形成手段に指示する指示手段とを具備し、前記特定手段は、前記一組の記録媒体群を構成する複数の記録媒体の色を順次読み取る第１の読取手段から当該記録媒体の色を示す第１の色情報を順次受け取って、当該第１の色情報により示される第１の記録媒体の色が、当該第１の読取手段から既に受け取っている第１の色情報により示される第２の記録媒体の色と同一または類似である場合には、当該第２の記録媒体から当該第１の記録媒体の直前に読み取られた記録媒体までの各色を示す第１の色情報を、当該第１の記録媒体以降の記録媒体の各色に順に割り当てることにより、前記第１の色配列を特定することを特徴とする。
【０００６】
本願の請求項２に係る指示装置は、一組の記録媒体群を構成する各々の記録媒体の色を示す第１の色情報を、当該記録媒体群における各記録媒体の順序に応じて配列した第１の色配列を特定する特定手段と、特定された前記第１の色配列において配列されている前記第１の色情報が表す色に応じて決められた色を表す第２の色情報を配列した第２の色配列を取得する取得手段と、取得された前記第２の色配列に含まれる第２の色情報が表す色の画像を、前記第１の色配列において、当該第２の色情報の配列順と同じ順序の記録媒体に形成することを、画像を形成する画像形成手段に指示する指示手段とを具備し、前記指示手段は、前記画像形成手段に供給される記録媒体の色を読み取る第２の読取手段から、当該記録媒体の色を表す第３の色情報を受け取り、受け取った当該第３の色情報が表す色と同一または類似である色が、特定された前記第１の色配列において先頭に配列されている場合には、取得された前記第２の色配列に含まれる第２の色情報が表す色の画像を、前記第１の色配列において、当該第２の色情報の配列順と同じ順序の記録媒体に形成することを前記画像形成手段に指示し、前記受け取った第３の色情報が表す色と同一または類似である色が、特定された前記第１の色配列において末尾に配列されている場合には、取得された前記第２の色配列に含まれる第２の色情報が表す色の画像を、前記第１の色配列において、当該第２の色情報の配列順を逆にした順序の記録媒体に形成することを前記画像形成手段に指示することを特徴とする。
【００１０】
また、本願の請求項３に係る画像形成装置は、請求項１または２に記載の指示装置と、一組の記録媒体群を構成する複数の記録媒体を順次読み取って、当該記録媒体の色を示す第１の色情報を順次、前記指示装置へ出力する第１の読取手段と、前記指示装置の指示に応じて、前記記録媒体に画像を形成する画像形成手段とを具備することを特徴とする。
【００１１】
また、本願の請求項４に係るプログラムは、コンピュータを、一組の記録媒体群を構成する各々の記録媒体の色を示す第１の色情報を、当該記録媒体群における各記録媒体の順序に応じて配列した第１の色配列を特定する特定手段と、特定された前記第１の色配列において配列されている前記第１の色情報が表す色に応じて決められた色を表す第２の色情報を配列した第２の色配列を取得する取得手段と、取得された前記第２の色配列に含まれる第２の色情報が表す色の画像を、前記第１の色配列において、当該第２の色情報の配列順と同じ順序の記録媒体に形成することを、画像を形成する画像形成手段に指示する指示手段として機能させるとともに、前記特定手段が、前記一組の記録媒体群を構成する複数の記録媒体の色を順次読み取る第１の読取手段から当該記録媒体の色を示す第１の色情報を順次受け取って、当該第１の色情報により示される第１の記録媒体の色が、当該第１の読取手段から既に受け取っている第１の色情報により示される第２の記録媒体の色と同一または類似である場合には、当該第２の記録媒体から当該第１の記録媒体の直前に読み取られた記録媒体までの各色を示す第１の色情報を、当該第１の記録媒体以降の記録媒体の各色に順に割り当てることにより、前記第１の色配列を特定するように前記コンピュータを機能させるためのプログラムである。
また、本願の請求項５に係るプログラムは、コンピュータを、一組の記録媒体群を構成する各々の記録媒体の色を示す第１の色情報を、当該記録媒体群における各記録媒体の順序に応じて配列した第１の色配列を特定する特定手段と、特定された前記第１の色配列において配列されている前記第１の色情報が表す色に応じて決められた色を表す第２の色情報を配列した第２の色配列を取得する取得手段と、取得された前記第２の色配列に含まれる第２の色情報が表す色の画像を、前記第１の色配列において、当該第２の色情報の配列順と同じ順序の記録媒体に形成することを、画像を形成する画像形成手段に指示する指示手段として機能させるとともに、前記指示手段が、前記画像形成手段に供給される記録媒体の色を読み取る第２の読取手段から、当該記録媒体の色を表す第３の色情報を受け取り、受け取った当該第３の色情報が表す色と同一または類似である色が、特定された前記第１の色配列において先頭に配列されている場合には、取得された前記第２の色配列に含まれる第２の色情報が表す色の画像を、前記第１の色配列において、当該第２の色情報の配列順と同じ順序の記録媒体に形成することを前記画像形成手段に指示し、前記受け取った第３の色情報が表す色と同一または類似である色が、特定された前記第１の色配列において末尾に配列されている場合には、取得された前記第２の色配列に含まれる第２の色情報が表す色の画像を、前記第１の色配列において、当該第２の色情報の配列順を逆にした順序の記録媒体に形成することを前記画像形成手段に指示するように前記コンピュータを機能させるためのプログラムである。
【発明の効果】
【００１２】
請求項１に係る指示装置によれば、一組の記録媒体群に含まれる全ての記録媒体の色を読み取る場合に比べて、短時間で各記録媒体に応じた色の画像を形成させる設定を行うことができる。
請求項２に係る指示装置によれば、それぞれ異なる色の記録媒体を含む一組の記録媒体群に対し、その記録媒体群を逆順で供給させたとしても、各記録媒体に応じた色の画像を、画像形成装置により形成させることができる。
請求項３に係る画像形成装置によれば、それぞれ異なる色の記録媒体を含む一組の記録媒体群に対し、各記録媒体に応じた色の画像を形成することができる。
請求項４に係るプログラムによれば、一組の記録媒体群に含まれる全ての記録媒体の色を読み取る場合に比べて、短時間で各記録媒体に応じた色の画像を形成させる設定を行うことができる。
請求項５に係るプログラムによれば、それぞれ異なる色の記録媒体を含む一組の記録媒体群に対し、その記録媒体群を逆順で供給させたとしても、各記録媒体に応じた色の画像を、画像形成装置により形成させることができる。
【図面の簡単な説明】
【００１３】
【図１】画像形成システムの全体構成を示す図である。
【図２】画像形成装置の全体構成を示すブロック図である。
【図３】画像形成装置で用いられるタブ紙を説明するための図である。
【図４】記憶部に記憶された色対応表の一例を示す図である。
【図５】ＲＡＭに記憶される色設定表の一例を示す図である。
【図６】画像形成装置におけるＣＰＵがＲＡＭに色設定表を作成する動作の流れを表すフロー図である。
【図７】供給されるタブ紙のタブに対して、画像を形成する動作の流れを表すフロー図である。
【図８】変形例における色設定表の作成動作を説明するフロー図である。
【図９】変形例において、供給されるタブ紙のタブに対して、画像を形成する動作の流れを表すフロー図である。
【発明を実施するための形態】
【００１４】
１．定義
以下に用語の定義を説明する。
タブ紙とは、予め定められた大きさ・形状（以下、単に定型ともいう）の矩形部分である台紙と、この台紙の一辺から突出した部位であるタブとを有しており、文書の一部を他の部分と仕切る仕切り材である。台紙の大きさや形状は、文書を構成する記録媒体と同じであるか、やや大きいことが好ましい。このタブは台紙に一体となって形成されている。このタブ紙と、文書を構成する記録媒体とを重ねたときには、タブが台紙の端からはみ出るので、タブ紙が仕切り材として機能し得ることになる。また、このタブ紙には画像が形成されるので、このタブ紙自体も記録媒体である。なお、タブ紙の材質は紙に限られず、樹脂その他の様々な材質を用いてもよいし、これらを組み合わせてもよい。要するに、タブ紙の材質は、表面に画像を形成することができる材質であればよい。
長辺方向とは、定型の記録媒体の記録面を構成する矩形の長い辺が伸びる方向である。
短辺方向とは、定型の記録媒体の記録面を構成する矩形の短い辺が伸びる方向である。
ＣＩＥ１９７６（Ｌ＊ａ＊ｂ＊）表色系とは、ＣＩＥ（Commission Internationale de l'Eclairage；国際照明委員会）により定められた表色系である。
２つの色が同一であるとは、その２つの色をそれぞれ色座標で表現した場合に、各色座標が一致することをいう。
２つの色が類似であるとは、その２つの色をそれぞれ色座標で表現した場合に、各色座標の距離が予め定めた閾値内にあること、または、色を表す色空間を予め複数に区切り、区切られた複数の色空間に、上述の２つの色をそれぞれ割り当てた場合に、その２つの色が区切られた同じ色空間に属していることのいずれかであって、かつ、その２つの色が同一でない場合をいう。
【００１５】
２．構成
以下、本発明の実施形態である画像形成システム９の構成を説明する。
２−１．全体構成
図１は、画像形成システム９の全体構成を示す図である。画像形成装置１は、ローカルネットワーク３やインターネット等の通信ネットワーク４を介して、外部処理装置２ａ，２ｂ，２ｃ（以下、特に区別の必要がない場合は、これらを総称して「外部処理装置２」と記す）と、情報の遣り取りをする。なお、ローカルネットワーク３や通信ネットワーク４は、ネットワークである場合に限らず、単なる通信手段であってもよい。
【００１６】
２−２．画像形成装置の構成
図２は、画像形成装置１の全体構成を示すブロック図である。ＣＰＵ１１は、ＲＯＭ１２に記憶されているブートローダや記憶部１４に記憶されているコンピュータプログラムを読み出して実行することにより画像形成装置１の各部を制御する。ＲＯＭ１２は半導体素子等で構成された読み出し専用の不揮発性記憶装置である。このＲＯＭ１２には、記憶部１４に記憶されている基本ＯＳ（Operating System）をＲＡＭ（Random Access Memory）１３にロードするためのブートローダやＢＩＯＳ（Basic Input/Output System）などが記憶されている。ＲＡＭ１３はＣＰＵ１１がプログラムを実行する際のワークエリアとして利用される。このＲＡＭ１３には、画像形成に用いる色を設定する色設定表１３１が記憶される。色設定表１３１の詳細は、後述する。記憶部１４はハードディスクドライブやＥＥＰＲＯＭ（Electrically Erasable Programmable Read Only Memory）などの大容量の不揮発性記憶装置であり、ＣＰＵ１１に読み込まれるプログラムや、そのプログラムにより用いられるデータを記憶する。この記憶部１４には、各種記録媒体に画像を形成する際に用いる色が、その記録媒体の色に対応付けて記述されている色対応表１４１が記憶されている。色対応表１４１の詳細は、後述する。
【００１７】
操作部１５は、例えば、液晶表示面を有するタッチパネル等と、数字・記号などに割り当てられた複数のキーで構成されるテンキー等を備えている。操作部１５の液晶表示面は、ＣＰＵ１１からの指示に応じて画像を表示するとともに、その液晶表示面に重ねて設けられた透明感圧センサにより、ユーザの指等が液晶表示面に触れた位置を示す情報を取得する。この取得した位置を示す情報に基づいて、ＣＰＵ１１は、ユーザの操作を解釈し、操作に応じた処理を実行する。画像形成部１６は、用紙等の記録媒体を供給する供給手段と、中間転写ベルト、および、複数の像保持体を直列に配置した、いわゆるタンデムエンジンを備えた電子写真方式の画像形成手段であり、ＣＰＵ１１の制御の下、供給手段により供給された記録媒体上に、ＲＡＭ１３に一時的に記憶された画像データに応じた画像を形成する。画像取得部１７は、供給された記録媒体の少なくとも一部の外縁が表された画像データを取得する装置であり、例えば、タブ紙のタブの外縁を表す画像を光学的に読み取って、その画像に応じた画像データを生成するスキャナなどである。通信部１８は、例えば各種のモデムや無線通信回路、シリアルインタフェースや、無線インターフェースなどであり、外部機器との間でデータの遣り取りを行う。
【００１８】
２−３．タブ紙の構成
図３は、画像形成装置１で用いられるタブ紙を説明するための図である。同図には、それぞれ異なる位置にタブが設けられた８枚のタブ紙が重ねられた様子が描かれている。この８枚のタブ紙は、それぞれ異なる色を有しており、一組のタブ紙セットを構成している。同図に示すタブＴ1，Ｔ2，・・・，Ｔ8（以下、特に区別の必要がない場合は、これらを総称して「タブＴ」と記す）は、各タブ紙のタブが占める領域である。タブＴは、台紙の長い方の一辺である図中右側の辺から突出しており、タブＴ1，Ｔ2，・・・，Ｔ8の順に、その突出する位置は、図中における上側から下側に向けて台紙の長辺方向に並んでいる。これらのタブ紙は、対向する搬送ロールに挟持されて搬送されるが、挟持される側にタブが設けられていると、安定してタブ紙を挟持することができないほか、タブを損傷する可能性がある。したがって、確実な搬送のために、タブ紙の搬送方向は同図に示す矢印Ｄ３方向に限られている。すなわち、タブ紙は、その台紙の短辺方向に沿った方向であって、その台紙が有する２つの長い辺のうちタブＴが突出した辺を後方とする方向に搬送される。
【００１９】
２−４．色対応表の構成
図４は、記憶部１４に記憶された色対応表１４１の一例を示す図である。色対応表１４１には、各種記録媒体に画像を形成する際に用いる色が、その記録媒体の色に対応付けて記述されている。
画像を形成するに当たって現像剤を定着させない部分には、記録媒体そのものの地色が発色することとなるが、この地色を背景色と呼ぶ。色対応表１４１のうち、「Ｌ＊」、「ａ＊」、および「ｂ＊」は、ＣＩＥ１９７６（Ｌ＊ａ＊ｂ＊）表色系を用いた色座標値（Ｌ＊，ａ＊，ｂ＊）の各成分の範囲を表している。「Ｌ＊」が取りうる値が、Ｌ０以上でＬ３未満の範囲（以下、Ｌ０〜Ｌ３と表記する）で表されるとすると、ここでは、「Ｌ＊」は「Ｌ０〜Ｌ１」、「Ｌ１〜Ｌ２」、および「Ｌ２〜Ｌ３」の３つの範囲に区分けされている。同様に「ａ＊」および「ｂ＊」もそれぞれ３つの範囲に区分けされており、それぞれの区分けの組み合わせに対応付けて、背景色群が定められている。
【００２０】
例えば、この色対応表１４１によると、ある背景色の「Ｌ＊」の値が「Ｌ０〜Ｌ１」の範囲にあり、「ａ＊」の値が「ａ１〜ａ２」の範囲にあり、かつ、「ｂ＊」の値が「ｂ２〜ｂ３」の範囲にあるとするならば、色座標値（Ｌ＊，ａ＊，ｂ＊）で示されるこの背景色は、背景色群Ｇ６に属する。なお、背景色群は、色を表す色空間を予め複数に区切った複数の色空間に相当するので、同じ背景色群に属する２つの色は、同一または類似である。
前景色のフィールドには、背景色群に属する背景色を有する記録媒体に画像を形成するときの前景色として指定する色を示す識別子が書き込まれている。例えば、上述の背景色群Ｇ６には、前景色Ｃ６が対応付けられており、背景色群Ｇ６に属する背景色を有した記録媒体には、このＣ６で示される色で画像が形成される。
【００２１】
２−５．色設定表の構成
図５は、ＲＡＭ１３に記憶される色設定表１３１の一例を示す図である。色設定表１３１には、記録媒体が供給される順序に対応付けて、その記録媒体に画像を形成する際に用いる色が記述されている。「順序」フィールドには、記録媒体が供給される順序が記述される。「測定値（Ｌ＊）」フィールド、「測定値（ａ＊）」フィールド、および「測定値（ｂ＊）」フィールドは、記録媒体の色の測定値をＣＩＥ１９７６（Ｌ＊ａ＊ｂ＊）表色系による色座標値で表したときの各成分の値が記述される。「該当背景色群」フィールドには、「測定値（Ｌ＊）」、「測定値（ａ＊）」、および「測定値（ｂ＊）」の各フィールドにより現される背景色が属する背景色群の識別子が記述される。「設定前景色」フィールドには、色対応表１４１において背景色群に対応付けられた前景色が記述される。
【００２２】
３．動作
次に、画像形成システム９の動作のうち、特に画像形成装置１の動作を中心に説明する。画像形成装置１の動作には、色設定表１３１を作成する動作と、作成した色設定表１３１に基づいてタブ紙に画像を形成する動作の２つの動作が含まれている。以下、これら２つの動作について、それぞれ説明する。
（１）色設定表の作成動作
図６は、画像形成装置１におけるＣＰＵ１１がＲＡＭ１３に色設定表１３１を作成する動作の流れを表すフロー図である。ユーザは、図示しない原稿自動送り装置（ＡＤＦ：Auto Document Feeder）に、８枚のタブ紙で構成される一組のタブ紙セットを置き、操作部１５を操作してこのタブ紙セットに対する色設定表１３１の作成を指示すると、ＣＰＵ１１は、記憶部１４から色対応表１４１を読み込み、ＲＡＭ１３に記憶し（ステップＳ１０１）、ＲＡＭ１３上に記憶されたカウンタを初期化する（ステップＳ１０２）。具体的には、カウンタには「０」が設定される。
【００２３】
次に、ＣＰＵ１１の制御の下、上述の原稿自動送り装置は一組のタブ紙セットから１枚ずつタブ紙を取り出して、これを画像取得部１７に搬送し、画像取得部１７は搬送されたタブ紙のスキャンを行い、タブを含むタブ紙を読み取った画像を表す画像データを取得し、ＲＡＭ１３に記憶する（ステップＳ１０３）。したがって、画像取得部１７は、一組の記録媒体群を構成する複数の記録媒体の色を順次読み取る第１の読取手段の一例である。次に、ＣＰＵ１１は、カウンタに１を加算するインクリメントを行う（ステップＳ１０４）。これにより「０」に初期化されていたカウンタには「１」が設定される。すなわち、このカウンタに設定された数はスキャンの回数を示している。そして、ＣＰＵ１１はカウンタが示すスキャンの回数を、ＲＡＭ１３上の色設定表１３１の「順序」フィールドに書き込む（ステップＳ１０５）。
【００２４】
続いて、ＣＰＵ１１は、ステップＳ１０３で取得した画像データに基づいてタブ紙の色を解析して背景色を特定し、色対応表１４１を参照して特定した色座標値に対応する該当背景色群を特定して色設定表１３１に書き込み（ステップＳ１０６）、このタブ紙で使う前景色を特定して色設定表１３１に書き込む（ステップＳ１０７）。そして、ＣＰＵ１１は、原稿自動送り装置に設けた図示しない光学センサによる信号に基づいて、タブ紙が原稿自動送り装置に残っているか否かを判断する（ステップＳ１０８）。タブ紙が原稿自動送り装置に残っていると判断した場合には（ステップＳ１０８；ＹＥＳ）、ＣＰＵ１１は、処理をステップＳ１０３に戻す。上述したとおり、ユーザは初めに原稿自動送り装置に複数のタブ紙から構成される一組のタブ紙セットを置いて、操作を開始しているため、カウンタに「１」が設定された状態において、タブ紙は原稿自動送り装置に残っている。したがって、ＣＰＵ１１は、処理をステップＳ１０３に戻し、ステップＳ１０４によりカウンタは「２」に設定される。一方、タブ紙が原稿自動送り装置に残っていないと判断した場合には（ステップＳ１０８；ＮＯ）、ＣＰＵ１１は、処理を終了し、色設定表１３１は確定する。
【００２５】
例えば、図５に示す色設定表１３１を作成する場合には、ＣＰＵ１１は、ステップＳ１０６において、１枚目のタブ紙の色を、測定値（Ｌ＊）＝Ｌ１１、測定値（ａ＊）＝ａ１１、測定値（ｂ＊）＝ｂ１１、として特定する。すなわち、この色座標値（Ｌ＊，ａ＊，ｂ＊）は（Ｌ１１，ａ１１，ｂ１１）である。ＣＰＵ１１は、図４に示す色対応表１４１を参照して、この色座標値に対応する背景色群を特定する。ここでＬ１１は、Ｌ０〜Ｌ１の範囲にあり、ａ１１は、ａ２〜ａ３の範囲にあり、ｂ１１は、ｂ１〜ｂ２の範囲にあるため、ＣＰＵ１１は、この色座標値に対応する背景色群はＧ８であると特定し、該当背景色群として色設定表１３１に識別子「Ｇ８」を書き込む。そして、ＣＰＵ１１は、この背景色群Ｇ８に対応する前景色Ｃ８を、このタブ紙の設定前景色として色設定表１３１に書き込む。ＣＰＵ１１は、この処理を原稿自動送り装置にタブ紙がなくなるまで、続けることで、図５に示す色設定表１３１を作成する。
【００２６】
原稿自動送り装置には、一組のタブ紙セットが置かれていて、これに含まれる８枚のタブ紙がなくなるまで読み取りが行われるのであるから、上述の色座標値（Ｌ１１，ａ１１，ｂ１１）や、これに対応する背景色群Ｇ８は、一組の記録媒体群を構成する各々の記録媒体の色を示す第１の色情報の一例である。そして、この第１の色情報である背景色群が、上述のカウンタが示すスキャンの回数が書き込まれた色設定表１３１の「順序」フィールドに対応する「背景色群」フィールドに書き込まれているので、色設定表１３１は、一組の記録媒体群を構成する各々の記録媒体の色を示す第１の色情報を、当該記録媒体群における各記録媒体の順序に応じて配列した第１の色配列の一例である。すなわち、色設定表１３１を作成するＣＰＵ１１は、一組の記録媒体群を構成する各々の記録媒体の色を示す第１の色情報を、当該記録媒体群における各記録媒体の順序に応じて配列した第１の色配列を特定する特定手段の一例である。別の表現をすれば、このＣＰＵ１１は、複数の記録媒体の色を示す第１の色情報を、前記複数の記録媒体の順序に応じて配列した第１の色配列を特定する特定手段の一例である。また、第１の読取手段の一例である画像取得部１７から取得した画像データに基づいてタブ紙の色を解析して背景色を特定し、色対応表１４１を参照して特定した色座標値に対応する該当背景色群を特定しているので、ＣＰＵ１１は、一組の記録媒体群を構成する複数の記録媒体の色を順次読み取る第１の読取手段から当該記録媒体の色を示す第１の色情報を順次受け取って、第１の色配列を特定する特定手段の一例である。
【００２７】
また、ＣＰＵ１１は、色対応表１４１を参照して、背景色群に応じてタブ紙で使う前景色を特定して色設定表１３１に書き込んでいる。色対応表１４１には、前景色群に応じて決められた色である前景色が定められており、「前景色」フィールドには、前景色を表す情報が記述されている。すなわち、ＣＰＵ１１は、特定された第１の色配列において配列されている第１の色情報が表す色に応じて決められた色を表す第２の色情報を配列した第２の色配列を取得する取得手段の一例である。別の表現をすれば、このＣＰＵ１１は、第１の色情報が表す色に応じた色を表す第２の色情報を配列した第２の色配列を取得する取得手段の一例である。
【００２８】
（２）画像形成の動作
図７は、供給されるタブ紙のタブに対して、画像を形成する動作の流れを表すフロー図である。まず、ユーザは、原稿自動送り装置に複数組のタブ紙セットを置き、操作部１５を操作してこのタブ紙セットから１枚ずつ取り出されるタブ紙のタブに対して、ユーザの指定する画像を形成する旨の指示をすると、ＣＰＵ１１は、この指示を解釈して記憶部１４からユーザの指定する画像を表す画像データを読み込み（ステップＳ２０１）、ＲＡＭ１３上に記憶された色設定表１３１において「順序」の最大値（以下、最大値Ｎという）を特定するとともに、ＲＡＭ１３上に記憶されたカウンタを初期化する（ステップＳ２０２）。具体的には、カウンタには「０」が設定される。
【００２９】
次に、ＣＰＵ１１は、原稿自動送り装置を制御して複数組のタブ紙セットから１枚ずつタブ紙を取り出し、画像形成部１６に供給させる（ステップＳ２０３）。そして、ＣＰＵ１１は、カウンタに１を加算するインクリメントを行う（ステップＳ２０４）。これにより「０」に初期化されていたカウンタには「１」が設定される。すなわち、このカウンタに設定された数は画像形成部１６にタブ紙を供給した回数（以下、供給回数という）を示している。次に、ＣＰＵ１１は、ＲＡＭ１３に記憶された色設定表１３１を参照し、カウンタに設定された値が示す供給回数に対応する前景色を特定し（ステップＳ２０５）、画像形成部１６により、上記のタブ紙のタブに上記の前景色を用いて画像を形成させる（ステップＳ２０６）。なお、カウンタが示す供給回数と、色設定表１３１に記述された前景色とは、以下のように対応付けられる。すなわち、供給回数Ｍを上記の最大値Ｎで割った剰余Ｒが示す数値が、色設定表１３１の「順序」と等しい場合に、カウンタが示す供給回数Ｍと、「順序」が「Ｒ」の前景色とが対応付けられる。
【００３０】
そして、ＣＰＵ１１は、原稿自動送り装置に設けた上記の光学センサによる信号に基づいて、タブ紙が原稿自動送り装置に残っているか否かを判断する（ステップＳ２０７）。タブ紙が原稿自動送り装置に残っていると判断した場合には（ステップＳ２０７；ＹＥＳ）、ＣＰＵ１１は、処理をステップＳ２０３に戻す。上述したとおり、ユーザは初めに原稿自動送り装置に複数組のタブ紙セットを置いて、操作を開始しているため、カウンタに「１」が設定された状態において、タブ紙は原稿自動送り装置に残っている。したがって、ＣＰＵ１１は、処理をステップＳ２０３に戻し、ステップＳ２０４によりカウンタは「２」に設定される。一方、タブ紙が原稿自動送り装置に残っていないと判断した場合には（ステップＳ２０７；ＮＯ）、ＣＰＵ１１は、タブ紙のタブに対する画像形成処理を終了する。
【００３１】
このように、ＣＰＵ１１は、ステップＳ２０５において供給されたタブ紙に対して用いる前景色を、色設定表１３１により特定し、ステップＳ２０６において、画像を形成する際に特定した前景色を用いる。したがって、例えば、図５に示す色設定表１３１を用いる場合には、画像形成部１６は、タブＴ1〜Ｔ8に対して、前景色をＣ８→Ｃ４→Ｃ２→Ｃ９→Ｃ６→Ｃ３→Ｃ７→Ｃ５の順で切り替えて画像を形成する。つまり、ＣＰＵ１１は、取得された第２の色配列に含まれる第２の色情報が表す色の画像を、第１の色配列において、当該第２の色情報の配列順と同じ順序の記録媒体に形成することを、画像を形成する画像形成手段に指示する指示手段の一例である。
【００３２】
そして、原稿自動送り装置に複数組のタブ紙セットがおかれている場合において、二組目、三組目のタブ紙セットを構成するタブ紙のそれぞれに画像を形成する際にも、ＣＰＵ１１は、色設定表１３１に記述された前景色の配列順で、その前景色の画像を各タブ紙に形成することを複数回繰り返すよう画像形成手段に指示する。すなわち、ＣＰＵ１１は、複数組の記録媒体群に対し、取得された第２の色配列における第２の色情報の配列順で、当該第２の色情報が表す色の画像を各記録媒体に形成することを複数回繰り返すよう画像形成手段に指示する指示手段の一例である。
【００３３】
従来技術においては、上述の原稿自動送り装置のような給紙装置や、記録媒体を収納する給紙カセットごとに、形成する画像の色や、その色を調整する情報が１つだけ割り当てられていた。しかし、上述したようなタブ紙の場合、一組のタブ紙を構成するタブ紙セットには、多彩な色のタブ紙が含まれているため、従来技術にこれらのタブ紙を供給しても、それぞれのタブ紙に適切な色の画像や、それぞれのタブ紙において背景色との関係で共通する効果が生じる色の画像を形成されることはなかった。したがって、一組で販売されていて、予め決められた順序で配列されているタブ紙セットを、種類ごとに分け、別々の給紙カセットに収納させるといった手間が生じていた。上述の画像形成システム９により、タブ紙セットの配列を変えることなく、そのまま、給紙させても、各タブ紙に応じた色の画像が形成される。
【００３４】
４．変形例
以上が実施形態の説明であるが、この実施形態の内容は以下のように変形し得る。また、以下の変形例を組み合わせてもよい。
（１）上述の実施形態において、一組のタブ紙セットを構成するタブ紙の全てがスキャンされるまで、色設定表１３１を作成する動作は終了しなかったが、一組のタブ紙セットの一部をスキャンして、色設定表１３１を作成してもよい。特に、一組のタブ紙セットの一部をスキャンした結果により、スキャンしていない残りのタブ紙についても前景色が推定可能と判断されるときには、その判断時点でタブ紙のスキャンを打ち切ってもよい。
【００３５】
図８は、この変形例における色設定表１３１の作成動作を説明するフロー図である。実施形態で説明した処理と同じ処理を行うステップについては、図６と同じ符号を付し、説明を省略する。ＣＰＵ１１は、ステップＳ１０１からステップＳ１０６までの処理を終えた後、ステップＳ１０６で特定した該当背景色群が以前に特定されているか否かを、色設定表１３１にこの該当背景色群の識別子が書き込まれているか否かに基づいて判断する（ステップＳ３００）。特定した該当背景色群が以前に特定されていないと判断した場合には（ステップＳ３００；ＮＯ）、ＣＰＵ１１は、図６と同様にステップＳ１０７→ステップＳ１０８という処理を行う。一方、特定した該当背景色群が以前に特定されていると判断した場合には（ステップＳ３００；ＹＥＳ）、ＣＰＵ１１は、色設定表１３１の作成処理を終了する。
【００３６】
例えば、この変形例において、図５に示す色設定表１３１を作成する場合に、ＣＰＵ１１は、５枚目のタブ紙の色を表す色座標値（Ｌ＊，ａ＊，ｂ＊）を（Ｌ１５，ａ１５，ｂ１５）として特定する。そして、ＣＰＵ１１は、図４に示す色対応表１４１を参照して、この色座標値に対応する背景色群を特定する。このとき、Ｌ１５が、Ｌ０〜Ｌ１の範囲にあり、ａ１５が、ａ２〜ａ３の範囲にあり、ｂ１５が、ｂ１〜ｂ２の範囲にあるとするならば、ＣＰＵ１１は、この色座標値に対応する背景色群を、同図に示すようにＧ６であると特定する替わりに、Ｇ８であると特定する。この変形例においては、既に色設定表１３１の該当背景色群には「Ｇ８」が書き込まれているので、上述したステップＳ３００の処理により、ＣＰＵ１１は、色設定表１３１の作成処理を終了する。このとき、「順序」が「５」の設定前景色は未設定であるため、ＣＰＵ１１は画像形成の際に、「順序」が「１」から「４」までの設定前景色のみを用いて供給されるタブ紙に画像を形成する。すなわち、タブＴ1〜Ｔ4に対しては前景色をＣ８→Ｃ４→Ｃ２→Ｃ９の順で切り替えて画像を形成し、さらに、これに続くタブＴ5〜Ｔ8に対しても前景色をＣ８→Ｃ４→Ｃ２→Ｃ９の順で切り替えて画像を形成する。
【００３７】
この場合、第１の読取手段から受け取る第１の色情報である色座標値（Ｌ１５，ａ１５，ｂ１５）により示される色が、第１の読取手段から既に受け取っている第１の色情報である色座標値（Ｌ１１，ａ１１，ｂ１１）により示される第２の記録媒体の色と同一または類似であるので、ＣＰＵ１１は、当該第２の記録媒体から当該第１の記録媒体の直前に読み取られた記録媒体まで、すなわち、タブＴ1〜Ｔ4の各色を示す第１の色情報、すなわち、背景色群であるＧ８→Ｇ４→Ｇ２→Ｇ９を、当該第１の記録媒体以降の記録媒体、すなわち、タブＴ5〜Ｔ8の各色に順に割り当てることにより、前記第１の色配列を特定してもよい。つまり、ＣＰＵ１１は、第１の読取手段から受け取る第１の色情報により示される第１の記録媒体の色が、当該第１の読取手段から既に受け取っている第１の色情報により示される第２の記録媒体の色と同一または類似である場合には、当該第２の記録媒体から当該第１の記録媒体の直前に読み取られた記録媒体までの各色を示す第１の色情報を、当該第１の記録媒体以降の記録媒体の各色に順に割り当てることにより、第１の色配列を特定する特定手段の一例である。
【００３８】
（２）色設定表１３１を作成する際に、ユーザがタブ紙セットを原稿自動送り装置に置いた向きを昇順とすると、画像を形成する際に、ユーザが誤って、タブ紙セットを原稿自動送り装置に昇順とは逆の向きである降順に置いてしまうことがある。上述の実施形態において、このような誤った操作の可能性は言及しなかったが、このような誤った操作に対応する機構を設けてもよい。
【００３９】
図９は、この変形例において、供給されるタブ紙のタブに対して、画像を形成する動作の流れを表すフロー図である。実施形態で説明した処理と同じ処理を行うステップについては、図７と同じ符号を付し、説明を省略する。ＣＰＵ１１は、ステップＳ２０１とステップＳ２０３との間にステップＳ２０２を実施することに替えて、ステップＳ３０１〜Ｓ３０３を実施する。すなわち、ＣＰＵ１１は、ステップＳ２０１において、形成する画像を表す画像データを読み込んだ後、原稿自動送り装置により、タブ紙セットから１枚ずつタブ紙を取り出して、これを画像取得部１７に搬送させる。そして、ＣＰＵ１１は、画像取得部１７により、このタブ紙をスキャンさせ、タブを含むタブ紙を読み取った画像を表す画像データを取得し、ＲＡＭ１３に記憶する（ステップＳ３０１）。
【００４０】
次に、ＣＰＵ１１は、ＲＡＭ１３に記憶した画像データに基づいてタブ紙の色を解析し、この色が属する該等背景色群が、色設定表１３１において「順序」が「１」の該当背景色群と等しい場合、すなわち、「順序」が「１」の記録媒体の色が、解析した上述の色と同一または類似である場合には、原稿自動送り装置に置かれたタブ紙セットの向きを「昇順」と特定する。すなわち、この場合には、色設定表１３１を作成する際のタブ紙セットの置かれた向きと、画像を形成する際のタブ紙セットの置かれた向きとは同じである。
【００４１】
一方、タブ紙の色が属する該等背景色群が、色設定表１３１において「順序」が「１」の該当背景色群と等しくない場合には、ＣＰＵ１１は、色設定表１３１において「順序」の最大値Ｎを特定し、これに対応する該等背景色群と等しい場合には、原稿自動送り装置に置かれたタブ紙セットの向きを「降順」と特定する。すなわち、この場合には、色設定表１３１を作成する際のタブ紙セットの置かれた向きと、画像を形成する際のタブ紙セットの置かれた向きとは逆である。このようにして、ＣＰＵ１１は、画像を形成する際のタブ紙セットの置かれた向きについて、昇順／降順の別を特定する（ステップＳ３０２）。
なお、上記の向きを「昇順」とも「降順」とも特定しない場合には、画像形成装置１は、画像形成を中止し、図示しない表示部により警告を表示させてユーザにタブ紙セットを置く向きについて注意を促してもよい。
【００４２】
そして、ＣＰＵ１１は、ステップＳ３０２において特定された昇順／降順の別に応じてカウンタの値を初期化する（ステップＳ３０３）。上記の向きを昇順と特定した場合には、図７における初期化と同じようにカウンタの値は「０」に設定される。一方、上記の向きを降順と特定した場合には、カウンタの値は、上述した「順序」の最大値Ｎに１を加えた数値、すなわち（Ｎ＋１）に設定される。次に、ＣＰＵ１１は、図示しない搬送装置を制御することにより、画像取得部１７にあるタブ紙を搬送して画像形成部１６に供給する（ステップＳ２０３）。そして、ＣＰＵ１１は、上記の向きを昇順と特定したか否かを判断し（ステップＳ３０４）、この向きを昇順と特定したと判断した場合、すなわちタブ紙が昇順に並んでいると判断した場合には（ステップＳ３０４；ＹＥＳ）、カウンタに１を加算するインクリメントを行う（ステップＳ２０４）。これにより「０」に初期化されていたカウンタには「１」が設定される。
【００４３】
一方、上記の向きを降順と特定したと判断した場合、すなわちタブ紙が降順に並んでいると判断した場合には（ステップＳ３０４；ＮＯ）、カウンタから１を減算するデクリメントを行う（ステップＳ３０５）。これにより「Ｎ＋１」に初期化されていたカウンタには「Ｎ」が設定される。その後、ＣＰＵ１１は、ステップＳ２０５〜Ｓ２０７の処理を行う。これにより、画像形成装置１は、画像を形成する際に、ユーザがタブ紙セットを置いた向きに応じて、色設定表１３１に記述された前景色を割り当てる順序を決定するので、ユーザはタブ紙セットを置く向きを覚えておかなくてもよくなる。
【００４４】
この変形例において、ＣＰＵ１１は、画像形成手段に供給される記録媒体の色を読み取る第２の読取手段から、当該記録媒体の色を表す第３の色情報を受け取り、受け取った当該第３の色情報が表す色と同一または類似である色が、特定された第１の色配列において先頭に配列されている場合には、取得された第２の色配列に含まれる第２の色情報が表す色の画像を、第１の色配列において、当該第２の色情報の配列順と同じ順序の記録媒体に形成することを画像形成手段に指示し、受け取った第３の色情報が表す色と同一または類似である色が、特定された第１の色配列において末尾に配列されている場合には、取得された第２の色配列に含まれる第２の色情報が表す色の画像を、第１の色配列において、当該第２の色情報の配列順を逆にした順序の記録媒体に形成することを画像形成手段に指示する指示手段の一例である。
【００４５】
なお、上述した変形例では、原稿自動送り装置に置かれたタブ紙セットの向きを「昇順」と「降順」のいずれであるかを特定するために、原稿自動送り装置から取り出したタブ紙を画像取得部１７に１回だけスキャンさせていたが、このスキャンの回数は１回に限られない。例えば、２回スキャンさせた結果に基づいて、タブ紙セットの向きを特定してもよい。この場合、１回目のスキャンをすることで、タブ紙セットのうち、最初に給紙されるタブ紙の種類を特定し、２回目のスキャンをすることで、１回目のスキャン結果との組み合わせに基づいて、タブ紙セットの向きが「昇順」と「降順」のいずれであるかを特定するようにしてもよい。例えば、図５に示す色設定表１３１を用いる場合には、昇順の前景色はＣ８→Ｃ４→Ｃ２→Ｃ９→Ｃ６→Ｃ３→Ｃ７→Ｃ５という順に定められている。ここで、１回目のスキャンにより、スキャンしたタブ紙の該当背景色群が「Ｇ９」だった場合、最初のタブ紙に形成する画像の前景色は「Ｃ９」に設定される。そして、２回目のスキャンにより、スキャンしたタブ紙の該当背景色群が「Ｇ６」だった場合には、ＣＰＵ１１は、タブ紙セットの向きを「昇順」であると特定する。前景色の昇順には「Ｃ９→Ｃ６」という並びが含まれるからである。一方、２回目のスキャンにより、スキャンしたタブ紙の該当背景色群が「Ｇ２」だった場合には、ＣＰＵ１１は、タブ紙セットの向きを「降順」であると特定する。前景色の昇順には「Ｃ２→Ｃ９」という並びが含まれるからである。言い換えると、「Ｃ９→Ｃ２」という並びは、上記の色設定表１３１において降順として定められているからである。
【００４６】
（３）上述の実施形態において、記録媒体に画像を形成するときの前景色は、色対応表１４１において、その記録媒体の色が属する背景色群に予め対応付けられていたが、測定した記録媒体の色から前景色を特定するためには、色対応表１４１はなくてもよい。例えば、測定した記録媒体の色から直接、前景色を表す数値を算出してもよい。具体的には、測定した記録媒体の色の補色を算出し、この補色を前景色として画像形成の際に用いてもよい。また、測定した記録媒体の色の補色以外にも、例えば、ＣＩＥ１９７６（Ｌ＊ａ＊ｂ＊）表色系において、その色との間に予め定めた色差を有する色を、前景色として画像形成の際に用いてもよい。
【００４７】
（４）上述の実施形態において、色設定表１３１を作成する機能と、作成した色設定表１３１により記録媒体に画像を形成する際の前景色を特定する機能は、画像形成装置１のＣＰＵ１１によって実現されていたが、画像形成システム９の他の構成によって実現されていてもよい。例えば、ローカルネットワーク３を介して情報の遣り取りをする外部処理装置２ａのＣＰＵ等によって実現されてもよい。具体的には、外部処理装置２ａのＣＰＵは、通信ネットワーク４を介してスキャナ等の画像取得部を有する装置から画像を表す画像データを取得して、この画像データに基づいて記録媒体の該等背景色群を特定する。そして、外部処理装置２ａのＣＰＵは、外部処理装置２ｃから画像を形成する旨の指示等、いわゆる印刷ジョブと呼ばれるような種々の指示を受け取って、この指示に応じて画像形成装置１に画像を形成させればよい。このとき、外部処理装置２ｃはサーバー装置である画像形成装置１に対して、画像を形成する際の画像形成条件を設定する指示を送るクライアント装置、すなわち指示装置として機能する。
【００４８】
（５）画像形成装置１のＣＰＵ１１によって実行されるプログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。なお、このような制御を行う制御手段としてはＣＰＵ以外にも種々の装置を適用することができ、例えば、専用のプロセッサなどを用いてもよい。
【００４９】
（６）上述の実施形態において、ＣＰＵ１１は、画像取得部１７から取得した画像データに基づいてタブ紙の色を解析して背景色を特定し、色対応表１４１を参照して特定した色座標値に対応する該当背景色群を特定することにより、色設定表１３１を作成していたが、取得した画像データに基づいてタブ紙の色を解析せずに、色設定表１３１を作成してもよい。例えば、予めタブ紙セットの製品番号に応じて色設定表１３１が作成されており、これをインターネットなどの回線を介して取得することで、色設定表１３１をＲＡＭ１３上に作成してもよい。要するに、ＣＰＵ１１は、一組の記録媒体群を構成する各々の記録媒体の色を示す第１の色情報を、当該記録媒体群における各記録媒体の順序に応じて配列した第１の色配列を特定すればよい。
【符号の説明】
【００５０】
１…画像形成装置、１１…ＣＰＵ、１２…ＲＯＭ、１３…ＲＡＭ、１３１…色設定表、１４…記憶部、１４１…色対応表、１５…操作部、１６…画像形成部、１７…画像取得部、１８…通信部、２ａ，２ｂ，２ｃ…外部処理装置、３…ローカルネットワーク、４…通信ネットワーク、９…画像形成システム。
【図１】
0005407702.tif 000002
【図２】
0005407702.tif 000003
【図３】
0005407702.tif 000004
【図４】
0005407702.tif 000005
【図５】
0005407702.tif 000006
【図６】
0005407702.tif 000007
【図７】
0005407702.tif 000008
【図８】
0005407702.tif 000009
【図９】
0005407702.tif 000010